(57)【要約】      （修正有）【課題】目的のキ−を音声にて確認の上で、さらに少し加圧する事により、初めてスイッチマトリックス信号が器機本体へと流れる構造。【解決手段】各操作信号が同一のメンブレン回路経由にて音声マトリックス信号処理用ＩＣコントロ−ラ−並びにスイッチマトリックス処理用ＩＣコントロ−ラ−へ流れる構造ではなく、音声マトリックス信号はそれ自身が単独で音声マトリックス信号処理用ＩＣコントロ−ラ−、そしてスピ−カ−へ、スイッチマトリックス信号もそれ自身が単独でスイッチマトリックス信号処理用ＩＣコントロ−ラ−そして器機本体へと、各々別のメンブレン回路により電気信号が伝わる、複層メンブレン回路ユニット。【選択図】図１
0003124355.tif 000002
【実用新案登録請求の範囲】
【請求項１】
操作キ−のレイアウトを印刷し、表面を印刷部の摩滅防止、並びに防水用にラミネ−ト処理した、『▲１▼：操作キ−・レイアウト印刷の防水フィルム』、個別キ−の箇所に触れる事により音声反応させる為の、『▲２▼：音声マトリックス信号処理用メンブレン回路』、当該キ−部分をさらに加圧する事により発生する垂直モ−メントにより反応させる為の、『▲３▼：スイッチマトリックス信号処理用メンブレン回路』、『▲４▼：両、メンブレン回路の絶縁用スペ−サ−』、『▲５▼：音声マトリックス信号処理用ＩＣコントロ−ラ−』、『▲６▼：スイッチマトリックス処理用ＩＣコントロ−ラ−』、『▲７▼：発声用スピ−カ−』、から構成される複層メンブレン回路ユニット。
【考案の詳細な説明】
【技術分野】
【０００１】  この考案は、操作キ−のレイアウトを印刷し、表面を印刷部の摩滅防止、並びに防水用にラミネ−ト処理した、『▲１▼：操作キ−・レイアウト印刷の防水フィルム』、個別キ−の箇所に触れる事により音声反応させる為の、『▲２▼：音声マトリックス信号処理用メンブレン回路』、当該キ−部分をさらに加圧する事により発生する垂直モ−メントにより反応させる為の、『▲３▼：スイッチマトリックス信号処理用メンブレン回路』、『▲４▼：両、メンブレン回路の絶縁用スペ−サ−』、『▲５▼：音声マトリックス信号処理用ＩＣコントロ−ラ−』、『▲６▼：スイッチマトリックス処理用ＩＣコントロ−ラ−』、『▲７▼：発声用スピ−カ−』、から構成される複層メンブレン回路ユニットに関するものである。
【背景技術】
【０００２】  従来の音声認識機能付き防水メンブレン回路の基本構造は、［図２］のとおり、▲１▼の『操作キ−・レイアウト印刷の防水フィルム』の個別操作キ−部分に対し加圧する事により、▲３▼の『スイッチマトリックス信号処理用メンブレン回路』から、▲５▼の『音声マトリックス信号処理用ＩＣコントロ−ラ−』並びに▲６▼の『スイッチマトリックス処理用ＩＣコントロ−ラ−』を経由し『音声マトリックス処理信号』は▲７▼の『発声用スピ−カ−』へ、『スイッチマトリックス信号』は器機本体へと、各々の電気信号が伝わるものが主流であった。【０００３】  この構造は、それぞれ目的の操作キ−の視認操作が大前提であり、各ボタンへの加圧による信号は、即時に、▲５▼の『音声マトリックス信号処理用ＩＣコントロ−ラ−』並びに▲６▼の『スイッチマトリックス処理用ＩＣコントロ−ラ−』へ流れてしまい、音声発生と同時に、器機が作動してしまう構造である。【０００４】  しかし全盲者の場合、当然各操作キ−の視認は不可能であり、この構造では操作キ−部分への誤接触による器機の誤作動は避けられず、確実に器機を操作させる事は困難になってしまう問題が発生する。【０００５】  それでは、各操作キ−の表面に点字にて、操作キ−の内容を表示すれば良いのではないかとの考えも成り立つが、２００５年度の障がい者白書によると、国内の視覚障がい者は約３１万人弱おり、そのうち、先天性全盲等の為に幼少時から特殊教育を受けた者以外の、途中失明等の後天性全盲者の中には、点字自体をマスタ−できていない人々も数多く存在し、点字表示を装備したからといって、必ずしも全盲者の方々の全員が、確実に操作できるとは言えないのが現状である。
【考案の開示】
【考案が解決しようとする課題】
【０００６】  点字をマスタ−していない人々でも、『各操作ボタンに指で触れる事により、今、何のキ−に触れているのかを音声で伝達してくれて』、『この接触段階による器機の誤作動防止の為、その時点ではスイッチマトリックス信号は器機本体には行かず』『目的のキ−を音声にて確認の上で、さらに少し加圧する事により、初めてスイッチマトリックス信号が器機本体へと流れる』いわば『２段階の操作スイッチ』があれば、全盲者の方にでも『より確実な入力操作』を提供出来ると思われた。
【考案を解決するための手段】
【０００７】  従来の構造のように、各操作信号が同一のメンブレン回路経由にて『音声マトリックス信号処理用ＩＣコントロ−ラ−』並びに『スイッチマトリックス処理用ＩＣコントロ−ラ−』へ流れる構造ではなく、『音声マトリックス信号』はそれ自身が単独で『音声マトリックス信号処理用ＩＣコントロ−ラ−』そして『スピ−カ−』へ、『スイッチマトリックス信号』もそれ自身が単独で『スイッチマトリックス信号処理用ＩＣコントロ−ラ−』そして器機本体へと、各々別のメンブレン回路により電気信号が伝わる、『複層メンブレン回路ユニット』構造にする。
【０００８】  具体的には、［図１］のように、操作キ−のレイアウトを印刷し、表面を摩滅防止並びに防水用にラミネ−ト処理した『▲１▼：操作キ−・レイアウト印刷の防水フィルム』の下に、個別キ−の箇所に触れる事により音声反応させる為の、『▲２▼：音声マトリックス信号処理用メンブレン回路』を設置し、同回路を『▲５▼：音声マトリックス信号処理用ＩＣコントロ−ラ−』にコンタクトさせ、そこから『▲７▼：発声用スピ−カ−』へと結線し、『上部音声認識スイッチ・ユニット』を構築する。
【０００９】  この『上部音声認識スイッチ・ユニット』の下に、『▲３▼：スイッチマトリックス信号処理用メンブレン回路』並びに、『▲６▼：スイッチマトリックス処理用ＩＣコントロ−ラ−』からなる『下部スイッチマトリックス・ユニット』を構築する。
【００１０】  このままでは、『上部音声認識スイッチ・ユニット』のキ−表示部分に指で触れた場合に発生する垂直モ−メントにより『下部スイッチマトリックス・ユニット』の当該接点へも加圧力が伝達してしまい、誤作動の可能性がある為、この垂直モ−メントを減殺する為の、『▲４▼：両、メンブレン回路の絶縁用スペ−サ−』を介在させる。
【００１１】  上記構造により、『▲１▼：操作キ−・レイアウト印刷の防水フィルム』の表面を指等で触れると、『▲２▼：音声マトリックス信号処理用メンブレン回路』上の各接点への接触加圧により『▲５▼：音声マトリックス信号処理用ＩＣコントロ−ラ−』へ該当信号が通電し、『▲７▼：発声用スピ−カ−』より、今何のキ−に触れているかの音声回答が得られる。
【００１２】  この時点では、この垂直モ−メントを減殺する為の、『▲４▼：両、メンブレン回路の絶縁用スペ−サ−』の介在により、同モ−メントは『▲３▼：スイッチマトリックス信号処理用メンブレン回路』上の当該接点には伝わらず、器機を作動させるスイッチマトリックス信号も発生しない。
【００１３】  この音声回答により、操作上必要とする目的のキ−を認識し、さらに加圧力を加える事により、初めて『▲４▼：両、メンブレン回路の絶縁用スペ−サ−』越しに『▲３▼：スイッチマトリックス信号処理用メンブレン回路』上の該当接点にモ−メントが加わり、『▲６▼：スイッチマトリックス処理用ＩＣコントロ−ラ−』経由にて器機本体へ電気信号が通電し、器機が正常に作動するといった行程をふまえるのが本考案である。
【考案の効果】
【００１４】  本考案により、点字のわからない全盲者でも、音声による確認で、確実に目的の操作キ−を認識する事ができ、確実な器機操作が可能になる。
【考案を実施するための最良の形態】
【００１５】  『▲２▼：音声マトリックス信号処理用メンブレン回路』並びに『▲３▼：スイッチマトリックス信号処理用メンブレン回路』は同一構造のメンブレン回路を使用する事によりコストダウンがはかれる。
又『▲４▼：両、メンブレン回路の絶縁用スペ−サ−』は、軽く指で触れた程度では変形せず、さらに指等で加圧すると容易に変形する、ウレタンフォ−ム等の素材の物が良いと思われる。
【産業上の利用可能性】
【００１６】  この構造はパソコンのキ−ボ−ドをはじめとし、あらゆるメンブレンスイッチに応用する事が出来る為、産業上その利用可能性は無限大と思われる。
【図面の簡単な説明】
【００１７】
【図１】本考案の構造図。
【図２】従来の音声作動メンブレンスイッチの構造図。
【符号の説明】
【００１８】  ▲１▼．操作キ−・レイアウト印刷の防水フィルム
▲２▼．音声マトリックス信号処理用メンブレン回路
▲３▼．スイッチ  マトリックス信号処理用メンブレン回路。
▲４▼．両、メンブレン回路の絶縁用スペ−サ−
▲５▼．音声マトリックス信号処理用ＩＣコントロ−ラ−
▲６▼．スイッチマトリックス処理用ＩＣコントロ−ラ−
▲７▼．発声用スピ−カ−。
【図１】
0003124355.tif 000003
【図２】
0003124355.tif 000004